(57)【要約】本発明は、プリコーディング後のチャネルの連続性を保証する方法、基地局、ユーザ装置（ＵＥ）およびコンピュータ可読記憶媒体を開示する。前記方法は、基地局が前記基地局から送信された周波数領域で連続するまたは不連続であるプリコーディングモードに従って前記ＵＥへデータを送信することをＵＥに通知することと、ＵＥが基地局からの通知に基づいて、前記基地局から前記ＵＥに送信されたデータが周波数領域で連続するプリコーディングモードを使用することを確定した場合、前記ＵＥが自体の処理能力範囲内で最適化されたチャネル推定および復調モードを実行することと、を含む。【選択図】図１
2016521026.tif 000002
【特許請求の範囲】
【請求項１】
プリコーディング後のチャネルの連続性を保証する方法であって、
基地局は、前記基地局からユーザ装置（ＵＥ）に送信されたデータが周波数領域で連続するプリコーディングモードを使用するかどうかを前記ＵＥに通知し、且つ前記基地局が対応する周波数領域で連続するまたは不連続であるプリコーディングモードに従って前記ＵＥへデータを送信することを含む、前記プリコーディング後のチャネルの連続性を保証する方法。
【請求項２】
前記通知は、明示的であって、セル固有のシグナリング通知、またはＵＥ固有のシグナリング通知を含むことを特徴とする
請求項１に記載のプリコーディング後のチャネルの連続性を保証する方法。
【請求項３】
前記セル固有のシグナリングはシステム情報ブロック（ＳＩＢ）メッセージシグナリングであり、前記ＵＥ固有のシグナリングは無線リソース制御（ＲＲＣ）メッセージシグナリングまたは下りリンク制御情報（ＤＣＩ）メッセージシグナリングであることを特徴とする
請求項２に記載のプリコーディング後のチャネルの連続性を保証する方法。
【請求項４】
前記通知は、暗黙的であって、特定の伝送モードまたは特定の下りリンク制御情報（ＤＣＩ）タイプとバンドルすることを含むことを特徴とする
請求項１に記載のプリコーディング後のチャネルの連続性を保証する方法。
【請求項５】
前記基地局が周波数領域で連続するプリコーディングモードに従ってＵＥへデータを送信することは、
前記基地局が前記ＵＥにより占有された各リソースブロック（ＲＢ）のプリコーディングウェイトを取得し、
前記基地局が前記ＵＥにより占有された各ＲＢのプリコーディングウェイトに対して最適化処理を行い、物理的に連続するＲＢのプリコーディングウェイトが連続するようにし、
前記基地局が最適化処理後のプリコーディングウェイトに基づいて前記ＵＥに送信されたデータに対してプリコーディングおよびフォーミングを行うことを含むことを特徴とする
請求項１〜４のいずれか１項に記載のプリコーディング後のチャネルの連続性を保証する方法。
【請求項６】
前記ＵＥにより占有された各ＲＢのプリコーディングウェイトに対して最適化処理を行うことは、
物理的に連続する各セクションのＲＢに、ＲＢを単位とする連続するプリコーディングウェイトを使用するモード、
特定のＲＢ粒度内で連続するプリコーディングウェイトを使用し、前記ＲＢ粒度間にあるプリコーディングウェイトが連続するまたは不連続であり、前記ＲＢ粒度は前記基地局によってＵＥに通知され、または前記基地局と前記ＵＥによって予め約束されるモードのうちの一つを使用することを特徴とする
請求項５に記載のプリコーディング後のチャネルの連続性を保証する方法。
【請求項７】
前記ＲＢ粒度は、プリコーディングリソースブロックグループ（ＰＲＧ）またはリソースブロックグループ（ＲＢＧ）であることを特徴とする
請求項６に記載のプリコーディング後のチャネルの連続性を保証する方法。
【請求項８】
前記基地局によって使用される最適化処理モードは、前記基地局と前記ＵＥによって予め約束され、または前記基地局によって前記ＵＥに通知され、
前記通知モードは、基地局が周波数領域で連続するプリコーディングモードを使用するかどうかの通知モードとバンドルし、または基地局が周波数領域で連続するプリコーディングモードを使用するかどうかのプリコーディングモードと異なる通知モードを使用することを特徴とする
請求項６に記載のプリコーディング後のチャネルの連続性を保証する方法。
【請求項９】
プリコーディング後のチャネルの連続性を保証する方法であって、
ユーザ装置（ＵＥ）が基地局からの通知に基づいて、前記基地局から前記ＵＥに送信されたデータが周波数領域で連続するプリコーディングモードを使用することを確定した場合、前記ＵＥは、自体の処理能力範囲内で最適化されたチャネル推定および復調モードを実行することを含む、前記プリコーディング後のチャネルの連続性を保証する方法。
【請求項１０】
前記最適化されたチャネル推定は、
複数の連続するＲＢにおけるパイロットを結合した時間領域フィルタリングノイズ低減、
複数の連続するＲＢにおけるパイロットを結合した周波数領域フィルタリングノイズ低減、
複数の連続するＲＢにおけるパイロットを結合した周波数領域の補間、
複数の連続するＲＢにおけるパイロットを結合した時間領域の補間のうちの一つを少なくとも含むことを特徴とする
請求項９に記載のプリコーディング後のチャネルの連続性を保証する方法。
【請求項１１】
基地局であって、
前記基地局からユーザ装置（ＵＥ）に送信されたデータが周波数領域で連続するプリコーディングモードを使用するかどうかを前記ＵＥに通知するように構成されるシグナリング指示モジュールと、
対応する周波数領域で連続するまたは不連続であるプリコーディングモードに従って前記ＵＥへデータを送信するように構成されるプリコーディングモジュールとを含む、前記基地局。
【請求項１２】
前記通知は、明示的であって、セル固有のシグナリング通知、またはＵＥ固有のシグナリング通知を含むことを特徴とする
請求項１１に記載の基地局。
【請求項１３】
前記セル固有のシグナリングは、システム情報ブロック（ＳＩＢ）メッセージシグナリングであり、前記ＵＥ固有のシグナリングが無線リソース制御（ＲＲＣ）メッセージシグナリングまたは下りリンク制御情報（ＤＣＩ）メッセージシグナリングであることを特徴とする
請求項１２に記載の基地局。
【請求項１４】
前記通知は、暗黙的であって、特定の伝送モードまたは特定のＤＣＩタイプとバンドルすることを含むことを特徴とする
請求項１１に記載の基地局。
【請求項１５】
前記プリコーディングモジュールは、さらに、
前記ＵＥにより占有された各ＲＢのプリコーディングウェイトを取得し、
前記ＵＥにより占有された各ＲＢのプリコーディングウェイトに対して最適化処理を行い、物理的に連続するＲＢのプリコーディングウェイトが連続するようにし、
最適化処理後のプリコーディングウェイトに基づいて前記ＵＥに送信されたデータに対してプリコーディングおよびフォーミングを行うように構成されることを特徴とする
請求項１１〜１４のいずれか１項に記載の基地局。
【請求項１６】
前記プリコーディングモジュールは、さらに、
物理的に連続する各セクションのＲＢに、ＲＢを単位とする連続するプリコーディングウェイトを使用するモードと、
特定のＲＢ粒度内で連続するプリコーディングウェイトを使用し、前記ＲＢ粒度間にあるプリコーディングウェイトが連続するまたは不連続であり、前記ＲＢ粒度が前記基地局によってＵＥに通知され、または前記基地局と前記ＵＥによって予め約束されるモードのうちの一つを使用してＵＥにより占有された各ＲＢのプリコーディングウェイトに対して最適化処理を行うように構成されることを特徴とする
請求項１５に記載の基地局。
【請求項１７】
ユーザ装置（ＵＥ）であって、
基地局からの通知を受信するように構成されるシグナリング受信モジュールと、
前記基地局から前記ＵＥに送信されたデータが周波数領域で連続するプリコーディングモードを使用することを確定した場合、前記ＵＥ自体の処理能力範囲内で最適化されたチャネル推定および復調モードを実行するように構成されるチャネル推定および復調モジュールとを含む、前記ＵＥ。
【請求項１８】
前記最適化されたチャネル推定は、
複数の連続するＲＢにおけるパイロットを結合した時間領域フィルタリングノイズ低減、
複数の連続するＲＢにおけるパイロットを結合した周波数領域フィルタリングノイズ低減、
複数の連続するＲＢにおけるパイロットを結合した周波数領域の補間、
複数の連続するＲＢにおけるパイロットを結合した時間領域の補間のうちの一つを少なくとも含むことを特徴とする
請求項１７に記載のＵＥ。
【請求項１９】
コンピュータ可読記憶媒体であって、
１グループの命令を含み、前記命令が請求項１〜８のいずれか１項に記載のプリコーディング後のチャネルの連続性を保証する方法を実行することに用いられる、前記コンピュータ可読記憶媒体。
【請求項２０】
コンピュータ可読記憶媒体であって、
１グループの命令を含み、前記命令が請求項９または１０に記載のプリコーディング後のチャネルの連続性を保証する方法を実行することに用いられる、前記コンピュータ可読記憶媒体。
【発明の詳細な説明】
【技術分野】
【０００１】
本発明は、通信分野のプリコーディング技術に関し、特にプリコーディング後のチャネルの連続性を保証する方法、基地局、ユーザ装置（ＵＥ）およびコンピュータ可読記憶媒体に関する。
【背景技術】
【０００２】
プリコーディング（Ｐｒｅｃｏｄｉｎｇ）／ビームフォーミング（ＢＦ：Ｂｅａｍｆｏｒｍｉｎｇ）技術は、現在の無線通信時分割複信（ＴＤＤ：Ｔｉｍｅ  Ｄｉｖｉｓｉｏｎ  Ｄｕｌｐｅｘｉｎｇ）システムにおいて一般的に使用される技術である。プリコーディングは、より広義のビームフォーミングであって、送信側に信号の重み付けを行うことで、受信側の受信性能を向上させる。ＴＤＤシステムにおけるチャネルの相反性ので、基地局（ｅＮＢ：Ｅｖｏｌｖｅｄ  ＮｏｄｅＢ）は、上りリンクチャネルに対する推定により下りリンクチャネルを確定し、そしてｅＮＢ側のプリコーディングにより、受信側の復調性能を向上させ、さらにシステム容量およびスペクトル効率を向上させる。
【０００３】
例えば、時分割複信長期発展型（ＴＤＤ−ＬＴＥ：Ｔｉｍｅ  Ｄｉｖｉｓｉｏｎ  Ｄｕｌｐｅｘｉｎｇ  Ｌｏｎｇ  Ｔｅｒｍ  Ｅｖｏｌｕｔｉｏｎ）システムにおいて、２つのプリコーディングモードがある。
【０００４】
第一は、ＴＤＤシステムの相反性を使用して、上りリンクチャネルのウェイトに基づいて、下りリンクのプリコーディングを行うことができる。実際のシステムおよび装置の複雑さと実現可能性を考えて、ＢＦウェイトが全てリソースブロック（ＲＢ：Ｒｅｓｏｕｒｃｅ  Ｂｌｏｃｋ）を粒度とし、異なるＲＢがそれぞれの独立したＢＦウェイトベクトルを使用する。
【０００５】
第二は、プリコードマトリクス指示-ランク指示）レポートが有効である場合、フィードバックモードを使用し、物理リソースブロック（ＰＲＢ：Ｐｈｙｓｉｃａｌ  Ｒｅｓｏｕｒｃｅ  Ｂｌｏｃｋ）によってバンドル（ｂｕｎｄｌｉｎｇ）されたデフォルト粒度でプリコーディングする。現在、基準において、ＰＲＢによってバンドルされたサイズが通常１〜３ＲＢであり、１つのプリコーディングブロックグループ（ＰＲＧ：Ｐｒｅｃｏｄｉｎｇ  Ｒｅｓｏｕｒｃｅ  Ｂｌｏｃｋ  Ｇｒｏｕｐ）と呼ばれる。
【０００６】
第一のモードにおいて、現在の基準により制約されないので、基地局は、ＲＢ／ＲＢグループの粒度でプリコーディングすることができ、ＲＢグループに占有されるＲＢ個数が基地局の自体によって決定される。ユーザ装置（ＵＥ）のデフォルトのチャネル推定の粒度は単一のＲＢである。ＲＢ／ＲＢグループ間のチャネル位相が不連続であるかもしれなく、断片化である。第二のモードにおいて、ＰＲＧ粒度の連続するいくつかのＲＢは、同じプリコーディングウェイトを使用するが、ＰＲＧ間の位相が依然として不連続であり、断片化である。ＵＥは、ＰＲＧの粒度でチャネル推定を行うことができ、当該モードにおいて、ＰＲＧのいくつかのＲＢが同じウェイトを使用するので、一定の程度でフォーミングゲインを低下させ、ＴＤＤシステムに対して非経済的である。この２つのモードにより、ＵＥが周波数領域の物理リソースにおいて連続してスケジューリングするが、受信側に受信された周波数領域の等価チャネルが不連続であるので、ＵＥは、デフォルトの最小粒度（ＲＢ／ＰＲＧ）だけでチャネル推定と復調を行うことができる。
【０００７】
チャネル位相が周波数領域のＲＢの間に元々連続するので、位相が不連続である現像により、下りリンクの復調基準信号／パイロット（ＤＭＲＳ：復調基準信号）のチャネル推定に対して以下の操作を行うことが不適切ではない。
【０００８】
１）連続するＲＢのパイロットに基づいて、時間領域／周波数領域における結合チャネル推定によるノイズ低減処理を行う。
【０００９】
２）時間領域／周波数領域におけるチャネル推定に基づく補間により、チャネル推定誤差が大きくなって、ＴＤＤシステムのプリコーディングする場合の性能に影響を与える。
【００１０】
ここから分かるように、既存の実装で、ＵＥ側のチャネル推定は、小さい粒度だけで行われ、チャネル推定の精度が制限され、復調性能が悪くなり、それによってシステム全体の性能とスペクトル効率に影響を与える。
【発明の概要】
【発明が解決しようとする課題】
【００１１】
従来の技術問題を解決するために、本発明の実施形態は、プリコーディング後のチャネルの連続性を保証する方法、基地局、ＵＥおよびコンピュータ可読記憶媒体を提供する。
【課題を解決するための手段】
【００１２】
本発明の実施形態ではプリコーディング後のチャネルの連続性を保証する方法を提供し、当該方法は、
基地局は、前記基地局からユーザ装置（ＵＥ）に送信されたデータが周波数領域で連続するプリコーディングモードを使用するかどうかを前記ＵＥに通知し、且つ前記基地局が対応する周波数領域で連続するまたは不連続であるプリコーディングモードに従って前記ＵＥへデータを送信することを含む。
【００１３】
本発明の実施形態ではさらにプリコーディング後のチャネルの連続性を保証する方法を提供し、当該方法は、
ユーザ装置（ＵＥ）が基地局からの通知に基づいて、前記基地局から前記ＵＥに送信されたデータが周波数領域で連続するプリコーディングモードを使用することを確定した場合、前記ＵＥは、自体の処理能力範囲内で最適化されたチャネル推定および復調モードを実行することを含む。
【００１４】
本発明の実施形態ではさらに基地局を提供し、当該基地局は、
前記基地局からユーザ装置（ＵＥ）に送信されたデータが周波数領域で連続するプリコーディングモードを使用するかどうかを前記ＵＥに通知するように構成されるシグナリング指示モジュールと、
対応する周波数領域で連続するまたは不連続であるプリコーディングモードに従って前記ＵＥへデータを送信するように構成されるプリコーディングモジュールとを含む。
【００１５】
本発明の実施形態ではさらにユーザ装置（ＵＥ）を提供し、前記ＵＥは、
基地局からの通知を受信するように構成されるシグナリング受信モジュールと、
前記基地局から前記ＵＥに送信されたデータが周波数領域で連続するプリコーディングモードを使用することを確定した場合、前記ＵＥ自体の処理能力範囲内で最適化されたチャネル推定および復調モードを実行するように構成されるチャネル推定および復調モジュールとを含む。
【００１６】
本発明の実施形態によるコンピュータ可読記憶媒体は、１グループの命令を含み、前記命令が前記基地局側のプリコーディング後のチャネル連続性を保証する方法を実行することに用いられる。
【００１７】
本発明の実施形態によるコンピュータ可読記憶媒体は、１グループの命令を含み、前記命令が前記ＵＥ側のプリコーディング後のチャネル連続性を保証する方法を実行することに用いられる。
【００１８】
本発明の実施形態によるプリコーディング後のチャネル連続性を保証する方法、基地局、ＵＥおよびコンピュータ可読記憶媒体において、基地局は、前記基地局から送信されたデータが周波数領域で連続するプリコーディングモードを使用するかどうかをＵＥに通知し、ＵＥが基地局からの通知に基づいて基地局から送信されたデータが周波数領域で連続するプリコーディングモードを使用するかどうかを確定した場合、前記ＵＥは、自体の処理能力範囲内で最適化されたチャネル推定および復調モードを実行する。本発明の実施形態では、プリコーディング後のチャネルの連続性を保証でき、ＵＥがより良いチャネル推定および復調アルゴリズムを使用することに便利を与え、それによってシステム性能とスペクトル効率を向上させる。
【図面の簡単な説明】
【００１９】
【図１】本発明の実施形態によるプリコーディング後のチャネルの連続性を保証する方法のフローチャートである。
【図２】本発明の実施形態による別のプリコーディング後のチャネルの連続性を保証する方法のフローチャートである。
【図３】本発明の実施形態による基地局の構造図である。
【図４】本発明の実施形態によるＵＥの構造図である。
【発明を実施するための形態】
【００２０】
以下に図面と具体的な実施形態を参照して本発明の技術的解決手段をさらに詳しく説明する。
【００２１】
本発明の実施形態によるプリコーディング後のチャネルの連続性を保証する方法は、基地局側の実現プロセスに対応して、図１に示すように、主に以下のステップを含む。
【００２２】
ステップ１０１において、基地局は、前記基地局から前記ＵＥに送信されたデータが周波数領域で連続するプリコーディングモードを使用するかどうかをＵＥに通知する。
【００２３】
基地局が前記基地局からＵＥに送信されたデータが周波数領域で連続するプリコーディングモードを使用することをＵＥに通知した場合、前記基地局は、周波数領域で連続するプリコーディングモードに従って前記ＵＥにデータを送信し、基地局が前記基地局からＵＥに送信されたデータが周波数領域で連続するプリコーディングモードを使用しないことをＵＥに通知する場合、前記基地局は、周波数領域で不連続であるプリコーディングモードに従って前記ＵＥへデータを送信する。
【００２４】
一つの実施形態において、基地局は、送信側に周波数領域で連続するプリコーディングモードを使用するかどうかを明示的または暗黙的にＵＥに通知する。そのなか、連続するプリコーディングモードにおいて、物理的に連続する異なるプリコーディングウェイトに対して位相と振幅の最適化を行うことにより、周波数領域における連続性を保証することで取得されることができる。
【００２５】
ここで、明示的通知は、セル固有のシグナリング通知、またはＵＥ固有のシグナリング通知を含む。
【００２６】
セル固有のシグナリング（Ｃｅｌｌ−Ｓｐｅｃｉｆｉｃ）は、基地局からＵＥに送信されたデータが連続するプリコーディングモードに従って処理された結果であるかどかを指示することに用いられ、前記セル固有のシグナリングは、システム情報ブロック（ＳＩＢ：Ｓｙｓｔｅｍ  Ｉｎｆｏｒｍａｔｉｏｎ  Ｂｌｏｃｋ）メッセージシグナリングであってよく、即ち当該セルが全てのＵＥに対して行ったプリコーディング操作はいずれも下りリンクプリコーディング後の等価チャネルが連続することを保証するためのものである。選択可能に、当該シグナリングのパラメータが１ビッドを占有する。
【００２７】
ＵＥ固有のシグナリング（ＵＥ−Ｓｐｅｃｉｆｉｃ）は、基地局からＵＥに送信されたデータが連続するプリコーディングモードに従って処理された結果であるかどうかを指示することに用いられ、前記ＵＥ固有のシグナリングが無線リソース制御（ＲＲＣ：Ｒａｄｉｏ  Ｒｅｓｏｕｒｃｅ  Ｃｏｎｔｒｏｌ）メッセージシグナリングであってよく、即ち当該セルがＵＥに対して行うプリコーディング操作が下りリンクプリコーディング後の等価チャネルが連続することを保証するためのものである。前記ＵＥ固有のシグナリングは、あるＤＣＩメッセージシグナリングのあるビットを占有することができる。選択可能に、当該シグナリングのパラメータが１ビットを占有する。
【００２８】
明示的通知が他のモードを使用することができ、本発明の実施形態は、ＳＩＢメッセージシグナリングまたはＲＲＣメッセージシグナリング、ＤＣＩメッセージシグナリングを構成することに限られるものではないと説明すべきである。
【００２９】
暗黙的通知は、特定の伝送モードとバンドルすること、または特定の下りリンク制御情報（ＤＣＩ：Ｄｏｗｎｌｉｎｋ  Ｃｏｎｔｒｏｌ  Ｉｎｆｏｒｍａｔｉｏｎ）タイプとバンドルすることを含む。即ち、明示的シグナリング通知で、連続するプリコーディングモードに従って送信側のプリコーディングおよびフォーミングを行うように基地局を制約する必要がない。
【００３０】
ここで、前記特定の伝送モードは、この伝送モードにおいて、プリコーディングモードを使用するすべてのユーザに対して、基地局側が送信側の処理によりその受信側の等価チャネルが連続することを保証するという特徴を含む。
【００３１】
前記特定のＤＣＩタイプは、ＵＥが、当該タイプのＤＣＩを検出した場合、基地局のプリコーディングモードがすでに受信側の等価チャネルの連続性を保証したことをデフォルトするという特徴を含む。
【００３２】
暗黙的通知も他のモードを使用することができ、本発明の実施形態は、特定の伝送モードまたは特定のＤＣＩタイプを構成することに限られるものではない。
【００３３】
ステップ１０２において、基地局は、対応する周波数領域で連続するまたは不連続であるプリコーディングモードに従って前記ＵＥへデータを送信する。
【００３４】
具体的には、基地局が周波数領域で連続するプリコーディングモードに従ってＵＥへデータを送信することは、
基地局が前記ＵＥにより占有された各ＲＢのプリコーディングウェイトを取得し、
前記基地局が前記ＵＥにより占有された各ＲＢのプリコーディングウェイトに対して最適化処理を行い、物理的に連続するＲＢのプリコーディングウェイトが連続するようにし、
前記基地局が最適化処理後のプリコーディングウェイトに基づいて前記ＵＥに送信されたデータに対してプリコーディングおよびフォーミングを行うことを含む。
【００３５】
ここで、ＵＥにより占有された各ＲＢのプリコーディングウェイトに対して最適化処理を行うことは、以下のモードを使用することができるがこれに限られない。
【００３６】
モード１）では、物理的に連続する各セクションのＲＢに対して、ＲＢを単位とする連続するプリコーディングウェイトを使用する。
【００３７】
モード２）では、特定のＲＢ粒度内で連続するプリコーディングウェイトを使用し、前記ＲＢ粒度間にあるプリコーディングウェイトが連続するまたは不連続であり、前記ＲＢ粒度が基地局によってＵＥに通知され、または前記基地局と前記ＵＥによって予め約束され、好ましくは、当該ＲＢ粒度がプリコーディングリソースブロックグループ（ＰＲＧ）またはリソースブロックグループ（ＲＢＧ）である。
【００３８】
ここで、前記ＵＥにより占有された各ＲＢのプリコーディングウェイトに対して最適化処理を行うために使用されるモードは、デフォルトされたものであってよく、あるモードに約束され、基地局から通知されたあるモードであってもよい。
【００３９】
第一．デフォルトされたモード：例えばデフォルトされたモード１であって、基地局が連続するプリコーディングモードに構成されると、前記ＵＥに対して、その各セクションの連続する周波数領域リソースにおいて、ＲＢ間のプリコーディングウェイトがいずれも連続し、プリコーディングがＲＢを単位とする。例えばデフォルトされたモード２であって、基地局が連続するプリコーディングモードに構成されると、前記ＵＥに対して、特定のＲＢ粒度で、そのプリコーディングウェイトが連続する。
【００４０】
第二．基地局から通知されたモード：基地局が連続するプリコーディングモードに構成され、且つ基地局は、前記基地局が前記モード１またはモード２を採用したことをＵＥに通知する。当該通知がセル固有のものまたはＵＥ固有のものであってもよいと説明すべきである。
【００４１】
即ち、基地局によって使用される最適化処理モードは、前記基地局と前記ＵＥによって予め約束され、または、前記基地局によって前記ＵＥに通知される。そのなか、前記通知モードは、基地局が周波数領域で連続するプリコーディングモードを使用するかどうかの通知モードとバンドルし、または、基地局が周波数領域で連続するプリコーディングモードを使用するかどうかのプリコーディングモードと異なる通知モードを使用する。
【００４２】
本発明の実施形態によるプリコーディングは、ビームフォーミングをカバーすると説明すべきである。
【００４３】
本発明の実施形態による別のプリコーディング後のチャネルの連続性を保証する方法は、ＵＥ側の実現プロセスに対応し、図２に示すように、主に以下のステップを含む。
【００４４】
ステップ２０１において、ＵＥは、基地局からの通知に基づいて、前記基地局から前記ＵＥに送信されたデータが周波数領域で連続するプリコーディングモードを使用するかどうかを確定する。
【００４５】
基地局は、明示的または暗黙的にＵＥに通知し、且つ明示的または暗黙的通知について前記実施形態を参照してください、ここで説明は、省略する。
【００４６】
ＵＥが基地局からの明示的または暗黙的通知に基づいて、前記基地局から前記ＵＥに送信されたデータが周波数領域で連続するプリコーディングモードを使用しないことを確定した場合、前記ＵＥは、基地局からのデータに対して従来の一般的な処理を行うと説明すべきである。
【００４７】
ステップ２０２において、基地局から前記ＵＥに送信されたデータが周波数領域で連続するプリコーディングモードを使用することを確定した場合、ＵＥは、自体の処理能力範囲内で最適化されたチャネル推定および復調モードを実行する。
【００４８】
明示的通知において、ＵＥが基地局からのシグナリング指示を受信した場合、シグナリングでプリコーディングモードが連続することを指示すると、ＵＥは、連続して割り当てられたリソースブロックにチャネルが連続するとみなし、ＵＥは、自体の能力に応じて、複数の連続するリソースブロックを結合して、チャネル推定時間領域／周波数領域ノイズ低減、補間などのチャネル推定精度を向上させる操作により、さらにＵＥの復調能力を向上させることができる。逆に、シグナリングでプリコーディングモードが不連続であることを指示すると、ＵＥは、連続して割り当てられたリソースブロックにチャネルが不連続であるとみなし、それによって単位とするプリコーディング粒度でチャネル推定および復調を行う。
【００４９】
暗黙的通知において、基地局がすべてのＵＥに対して連続モードのプリコーディングを採用し、そして暗黙的にＵＥに通知することが規定されている。ＵＥは、常に受信された等価チャネルが連続して割り当てられたリソースブロックに連続することをデフォルトして、最適化されたチャネル推定および復調を行うことができる。ＬＴＥシステムに対して、上位互換性を考えて、例えば、既存のＲ１１（Ｒｅｌｅａｓｅ１１）の前のリリースを満たす基地局とＵＥが当該特性を備えなく、Ｒ１１以降の基地局とＵＥに当該特徴を実施する必要がある。Ｒ１１−（Ｒ１１とＲ１１の前のリリースが含まれる）のＵＥが当該特性を備えるＲ１１＋（Ｒ１１以降のリリース）の基地局にアクセスした場合、基地局は、連続してプリコーディングされたデータの送信能力を備えるが、ＵＥは、依然として元のモードで、最小プリコーディング粒度のチャネル推定及び復調を行う。Ｒ１１＋のＵＥが当該特性を備えないＲ１１−の基地局にアクセスした場合、当該基地局が依然として元の送信モードまたはＤＣＩに基づいて周波数領域におけるプリコーディングが不連続であるデータを送信するので、ＵＥは、依然として最小プリコーディング粒度でチャネル推定および復調を行う必要がある。
【００５０】
前記最適化されたチャネル推定は、
複数のＲＢにおけるパイロットを結合した時間領域フィルタリングノイズ低減、
複数のＲＢにおけるパイロットを結合した周波数領域フィルタリングノイズ低減、
複数のＲＢにおけるパイロットを結合した周波数領域の補間、
複数のＲＢにおけるパイロットを結合した時間領域の補間のうちの一つを少なくとも含む。
【００５１】
本発明の実施形態において、基地局が、基地局のＵＥに対するプリコーディングモードが連続モードにおけるプリコーディングモードであるかどうかをＵＥに指示することによって、ＵＥが当該指示を識別した後に、ＵＥが連続モードにおける復調をサポートすると、最適化されたチャネル推定および復調を行い、例えば複数のＲＢにおけるパイロットを結合してチャネル推定を行い、ＵＥが連続モードにおける復調をサポートしないと、最小プリコーディング単位でチャネル推定および復調を行う。同時に、本発明の実施形態では、下位互換性を破壊することなく、当該指示を識別できないＵＥに対して、依然として最小プリコーディング単位を粒度とするチャネル推定および復調を使用する。
【００５２】
以下に具体的な実施形態を参照してリコーディング後のチャネル連続性を保証する方法を詳しく説明する。
【００５３】
本発明の実施形態一によるＴＤＤ−ＬＴＥシステムにおいて、以下のプロセスを実行する。
【００５４】
ステップ１において、基地局は、セル固有のシグナリングで、当該基地局がプリコーディングする時に周波数領域で連続するプリコーディング送信モードを使用することをＵＥに通知し、選択可能に、シグナリングがＳＩＢメッセージに位置し、１ビットを占有する。
【００５５】
ステップ２において、基地局は、周波数領域で連続するプリコーディング送信モードに従って、ＵＥにデータを送信する。当該プロセスは、
基地局が前記ＵＥにより占有された各ＲＢのプリコーディングウェイトを取得することと、
基地局がＵＥにより占有された各ＲＢのプリコーディングウェイトに対して最適化処理を行い、物理的に連続するＲＢのプリコーディングウェイトが連続するようにし、当該連続が位相および幅の連続を含むことと、
基地局が最適化処理後のプリコーディングウェイトに基づいてＵＥに送信されたデータに対してプリコーディングおよびフォーミングを行うこととを含む。
【００５６】
ステップ３において、ＵＥは、基地局から送信されたデータを受信し、自体の処理能力範囲内で複数の物理的に連続するＲＢにおけるパイロットを結合し、チャネル推定および復調を行う。前記チャネル推定は、複数のパイロットを結合した時間領域フィルタリングノイズ低減、複数のパイロットを結合した周波数領域フィルタリングノイズ低減、複数のパイロットを結合した補間、複数のパイロットを結合した時間領域の補間のうちの一つを少なくとも含む。
【００５７】
本実施形態は、セル固有の通知により、周波数領域で連続するプリコーディングモードを使用するかどうかをＵＥに知らせる。この通知は、選択可能にＳＩＢメッセージシグナリングで送信される。当該通知を識別できるＵＥは、自分の等価受信チャネルが連続するかどうかを知ることができる。連続すると、より良いチャネル推定を採用して、復調性能を向上させ、それによってスペクトル効率を向上させることができる。
【００５８】
本発明の実施形態二によるＴＤＤ−ＬＴＥシステムにおいて、以下のプロセスを実行する。
【００５９】
ステップ１において、基地局は、ＵＥ固有のシグナリングで、当該基地局がプリコーディングするときに周波数領域で連続するプリコーディング送信モードを使用することをＵＥに通知し、選択可能に、シグナリングがＲＲＣメッセージまたはＤＣＩメッセージシグナリングに位置し、１ビットを占有する。
【００６０】
ステップ２において、基地局は、周波数領域で連続するプリコーディング送信モードで、ＵＥにデータを送信する。当該プロセスは、
基地局が前記ＵＥにより占有された各ＲＢのプリコーディングウェイトを取得することと、
基地局がＵＥにより占有された各ＲＢのプリコーディングウェイトに対して最適化処理を行い、物理的に連続するＲＢのプリコーディングウェイトが連続することになり、当該連続が位相と幅の連続を含むことと、
基地局が最適化処理後のプリコーディングウェイトに基づいてＵＥに送信されたデータに対してプリコーディングおよびフォーミングを行うこととを含む。
【００６１】
ステップ３において、ＵＥは、基地局から送信されたデータを受信し、自分の処理能力範囲内で複数の物理的に連続するＲＢにおけるパイロットを結合して、チャネル推定および復調を行う。前記チャネル推定は、複数のパイロットを結合した時間領域フィルタリングノイズ低減、複数のパイロットを結合した周波数領域フィルタリングノイズ低減、複数のパイロットを結合した周波数領域の補間、複数のパイロットを結合した時間領域の補間のうちの一つを少なくとも含む。
【００６２】
ステップ３において、ＵＥは、基地局から送信されたデータを受信し、自体の処理能力範囲内で複数の物理的に連続するＲＢにおけるパイロットを結合し、チャネル推定および復調を行う。前記チャネル推定は、複数のパイロットを結合する時間領域フィルタリングノイズ低減、複数のパイロットを結合する周波数領域フィルタリングノイズ低減、複数のパイロットを結合する周波数領域の補間、複数のパイロットを結合する時間領域の補間のうちの一つを少なくとも含む。
【００６３】
本実施形態は、ＵＥ固有の通知により、周波数領域で連続するプリコーディングモードを使用するかどうかをＵＥに知らせる。この通知は、選択可能にＲＲＣメッセージシグナリングまたはＤＣＩメッセージシグナリングで送信される。それに対応して、ＵＥは、自分の等価受信チャネルが連続するかどうかを知ることができる。連続すると、より良いチャネル推定を採用して、復調性能を向上させ、それによってスペクトル効率を向上させることができる。
【００６４】
本発明の実施形態三によるＴＤＤ−ＬＴＥシステムにおいて、以下のプロセスを実行する。
【００６５】
ステップ１において、基地局は、連続するプリコーディング送信モードで送信側のプリコーディングを行うことをデフォルトし、そしてＵＥに暗黙的に通知する。当該暗黙的通知は、特定の伝送モードとバンドルするまたは特定のＤＣＩタイプとバンドルすることができる。
【００６６】
ステップ２において、ＵＥは、基地局から送信されたデータを受信し、自体の処理能力範囲内で複数の物理的に連続するＲＢにおけるパイロットを結合し、チャネル推定および復調を行う。前記チャネル推定は、複数のパイロットを結合した時間領域フィルタリングノイズ低減、複数のパイロットを結合した周波数領域フィルタリングノイズ低減、複数のパイロットを結合した周波数領域の補間、複数のパイロットを結合した時間領域の補間のうちの一つを少なくとも含む。
【００６７】
本実施形態は、暗黙的通知により、周波数領域で連続するプリコーディングモードを使用することをＵＥに知らせる。ＵＥは、自分がある伝送モードであることを確定する、またはあるタイプのＤＣＩを検出すると、自分の等価受信チャネルが連続することを知ることができ、より良いチャネル推定を採用して復調性能を向上させ、それによってスペクトル効率を向上させることができる。
【００６８】
前記プリコーディング後のチャネルの連続性を保証する方法に対応して、本発明の実施形態ではさらに基地局を提供し、当該基地局は、図３に示すように、主に、
前記基地局から前記ＵＥに送信されたデータが周波数領域で連続するプリコーディングモードを使用するかどかをＵＥに通知するように構成されるシグナリング指示モジュール１０と、
対応する周波数領域で連続するまたは不連続であるプリコーディングモードに従って前記ＵＥへデータを送信するように構成されるプリコーディングモジュール２０とを含む。
【００６９】
一つの実施形態において、前記通知は、明示的であって、セル固有のシグナリング通知、またはＵＥ固有のシグナリング通知を含む。
【００７０】
一つの実施形態において、前記セル固有のシグナリングがＳＩＢメッセージシグナリングであって、前記ＵＥ固有のシグナリングがＲＲＣメッセージシグナリングまたはＤＣＩメッセージシグナリングである。
【００７１】
一つの実施形態において、前記通知は、暗黙的であって、特定の伝送モードとバンドルするまたは特定のＤＣＩタイプとバンドルすることを含む。
【００７２】
一つの実施形態において、前記プリコーディングモジュール２０は、さらに前記ＵＥにより占有された各ＲＢのプリコーディングウェイトを取得し、
前記ＵＥにより占有された各ＲＢのプリコーディングウェイトに対して最適化処理を行い、物理的に連続するＲＢのプリコーディングウェイトが連続するようにし、
最適化処理後のプリコーディングウェイトに基づいて前記ＵＥに送信されたデータに対してプリコーディングおよびフォーミングを行うように構成される。
【００７３】
一つの実施形態において、プリコーディングモジュール２０は、さらに、
物理的に連続する各セクションのＲＢに、ＲＢを単位とする連続するプリコーディングウェイトを使用するモードと、
特定のＲＢ粒度内で連続するプリコーディングウェイトを使用し、前記ＲＢ粒度間にあるプリコーディングウェイトが連続するまたは不連続であり、前記ＲＢ粒度が前記基地局によってＵＥに通知され、または前記基地局とＵＥによって予め約束されるモードのうちの一つでＵＥにより占有された各ＲＢのプリコーディングウェイトに対して最適化処理を行うように構成される。
【００７４】
ここで、ＵＥにより占有された各ＲＢのプリコーディングウェイトに対して最適化処理を行うために使用されるモードは、デフォルトされたあるモード、または基地局から通知されたあるモードである。
【００７５】
前記シグナリング指示モジュール１０は、基地局における外部通信機能を備える通信チップにより実現されることができ、プリコーディングモジュール２０が基地局における中央プロセッサ（ＣＰＵ：Ｃｅｎｔｒａｌ  Ｐｒｏｃｅｓｓｉｎｇ  Ｕｎｉｔ）、マイクロプロセッサ（ＭＰＵ：Ｍｉｃｒｏ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）またはフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）により実現されることができると説明すべきである。
【００７６】
前記プリコーディング後のチャネルの連続性を保証する方法に対応して、本発明の実施形態ではさらにユーザ装置（ＵＥ）を提供し、当該ＵＥは、図４に示すように、主に、
基地局からの通知を受信するように構成されるシグナリング受信モジュール３０と、
前記基地局から前記ＵＥに送信されたデータが周波数領域で連続するプリコーディングモードを使用することを確定した場合、前記ＵＥ自体の処理能力範囲内で最適化されたチャネル推定および復調モードを実行するように構成されるチャネル推定および復調モジュール４０とを含む。
【００７７】
一つの実施形態において、前記最適化されたチャネル推定は、
複数のＲＢにおけるパイロットを結合した時間領域フィルタリングノイズ低減、
複数のＲＢにおけるパイロットを結合した周波数領域フィルタリングノイズ低減、
複数のＲＢにおけるパイロットを結合した周波数領域の補間、
複数のＲＢにおけるパイロットを結合した時間領域の補間のうちの一つを少なくとも含む。
【００７８】
前記シグナリング受信モジュール３０は、ＵＥにおける外部通信機能を備える通信チップにより実現されることができ、チャネル推定および復調モジュール４０は、ＵＥにおけるＣＰＵ、ＭＰＵ、ＤＳＰまたはＦＰＧＡにより実現されることができると説明すべきである。
【００７９】
上述したように、本発明の実施形態において基地局は、前記基地局から送信されたデータが周波数領域で連続するプリコーディングモードを使用するかどうかをＵＥに明示的または暗黙的に通知することによって、ＵＥが基地局からの通知に基づいて基地局から送信されたデータが周波数領域で連続するプリコーディングモードを使用することを確定した場合、前記ＵＥは、自体の処理能力範囲内で最適化されたチャネル推定および復調モードを実行する。本発明により、プリコーディング後のチャネルの連続性を保証でき、ＵＥがより良いチャネル推定および復調アルゴリズムを使用することに便利を与えて、システム性能とスペクトル効率を向上させる。
【００８０】
本分野の当業者は、本発明の実施形態が方法、システムまたはコンピュータプログラム製品として提供されることができると理解すべきである。従って、本発明は、ハードウェア実施形態、ソフトウェア実施形態、またはハードウェア実施形態およびソフトウェア実施形態を組み合わせた形態を使用することができる。しかも、本発明は、コンピュータ使用可能プログラムコードを含む１つ以上のコンピュータ可読記憶媒体（磁気ディスク記憶装置と光メモリなどを含むがこれらに限られない）で実施されるコンピュータプログラム製品の形態を使用することができる。
【００８１】
本発明は、本発明の実施形態による方法、装置（システム）とコンピュータプログラム製品のフローチャートおよび／またはブロック図を参照して説明される。コンピュータプログラム命令によりフローチャートおよび／またはブロック図の各プロセスおよび／またはブロック、およびフローチャートおよび／またはブロック図のプロセスおよび／またはブロックの組み合わせを実現することができると理解すべきである。これらのコンピュータプログラム命令を汎用コンピュータ、専用コンピュータ、組み込みプロセッサまたは他のプログラム可能データ処理装置のプロセッサに提供して１つのマシンを生成することができ、それによってコンピュータまたは他のプログラム可能データ処理装置のプロセッサで実行された命令によりフローチャートの１つ以上のプロセスおよび／ブロック図における１つ以上のブロックにおける指定された機能を実現するための装置を生成する。
【００８２】
これらのコンピュータプログラム命令がコンピュータまたは他のプログラム可能データ処理装置が特定のモードで動作することをガイドすることができるコンピュータ可読メモリに記憶されることもでき、それによって、当該コンピュータ可読メモリに記憶された命令により命令装置が含まれる製造品を生成し、当該命令装置がフローチャートの１つ以上のプロセスおよび／またはブロック図の１つ以上のブロックにおける指定された機能を実現する。
【００８３】
これらのコンピュータプログラム命令がコンピュータまたは他のプログラム可能データ処理装置にロードされることができ、それによってコンピュータまたは他のプログラム可能データ処理装置で一連の操作ステップを実行してコンピュータで実現される処理を生成し、それによってコンピュータまたは他のプログラム可能データ処理装置で実行された命令によりフローチャートの１つ以上のプロセスおよび／またはブロック図の１つ以上のブロックにおける指定された機能を実現するためのステップを提供する。
【００８４】
そのため、本発明の実施形態によるコンピュータ可読記憶媒体は、基地局側のプリコーディング後のチャネル連続性を保証する方法に対応して、１グループのコンピュータで実行可能な命令を含み、前記命令が前記基地局側のプリコーディング後のチャネル連続性を保証する方法を実行することに用いられる。
【００８５】
本発明の実施形態によるコンピュータ可読記憶媒体は、ＵＥ側のプリコーディング後のチャネル連続性を保証する方法に対応して、１グループのコンピュータで実行可能な命令を含み、前記命令がＵＥ側のプリコーディング後のチャネル連続性を保証する方法を実行することに用いられる。
【００８６】
上記は、本発明の好ましい実施形態に過ぎなく、本発明の保護範囲を制限することに用いられるものではない。
【図１】
2016521026.tif 000003
【図２】
2016521026.tif 000004
【図３】
2016521026.tif 000005
【図４】
2016521026.tif 000006
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
プリコーディング後のチャネルの連続性を保証する方法であって、
基地局は、前記基地局からユーザ装置（ＵＥ）に送信されたデータが周波数領域で連続するプリコーディングモードを使用するかどうかを前記ＵＥに通知し、且つ前記基地局が対応する周波数領域で連続するまたは不連続であるプリコーディングモードに従って前記ＵＥへデータを送信することを含む、前記プリコーディング後のチャネルの連続性を保証する方法。
【請求項２】
前記通知は、明示的であって、セル固有のシグナリング通知、またはＵＥ固有のシグナリング通知を含むことを特徴とする
請求項１に記載のプリコーディング後のチャネルの連続性を保証する方法。
【請求項３】
前記セル固有のシグナリングはシステム情報ブロック（ＳＩＢ）メッセージシグナリングであり、前記ＵＥ固有のシグナリングは無線リソース制御（ＲＲＣ）メッセージシグナリングまたは下りリンク制御情報（ＤＣＩ）メッセージシグナリングであることを特徴とする
請求項２に記載のプリコーディング後のチャネルの連続性を保証する方法。
【請求項４】
前記通知は、暗黙的であって、特定の伝送モードまたは特定の下りリンク制御情報（ＤＣＩ）タイプとバンドルすることを含むことを特徴とする
請求項１に記載のプリコーディング後のチャネルの連続性を保証する方法。
【請求項５】
前記基地局が周波数領域で連続するプリコーディングモードに従ってＵＥへデータを送信することは、
前記基地局が前記ＵＥにより占有された各リソースブロック（ＲＢ）のプリコーディングウェイトを取得し、
前記基地局が前記ＵＥにより占有された各ＲＢのプリコーディングウェイトに対して最適化処理を行い、物理的に連続するＲＢのプリコーディングウェイトが連続するようにし、
前記基地局が最適化処理後のプリコーディングウェイトに基づいて前記ＵＥに送信されたデータに対してプリコーディングおよびフォーミングを行うことを含むことを特徴とする
請求項１〜４のいずれか１項に記載のプリコーディング後のチャネルの連続性を保証する方法。
【請求項６】
前記ＵＥにより占有された各ＲＢのプリコーディングウェイトに対して最適化処理を行うことは、
物理的に連続する各セクションのＲＢに、ＲＢを単位とする連続するプリコーディングウェイトを使用するモード、
特定のＲＢ粒度内で連続するプリコーディングウェイトを使用し、前記ＲＢ粒度間にあるプリコーディングウェイトが連続するまたは不連続であり、前記ＲＢ粒度は前記基地局によってＵＥに通知され、または前記基地局と前記ＵＥによって予め約束されるモードのうちの一つを使用し、
前記ＲＢ粒度は、プリコーディングリソースブロックグループ（ＰＲＧ）またはリソースブロックグループ（ＲＢＧ）であり、
前記基地局によって使用される最適化処理モードは、前記基地局と前記ＵＥによって予め約束され、または前記基地局によって前記ＵＥに通知され、
前記通知モードは、基地局が周波数領域で連続するプリコーディングモードを使用するかどうかの通知モードとバンドルし、または基地局が周波数領域で連続するプリコーディングモードを使用するかどうかのプリコーディングモードと異なる通知モードを使用することを特徴とする
請求項５に記載のプリコーディング後のチャネルの連続性を保証する方法。
【請求項７】
プリコーディング後のチャネルの連続性を保証する方法であって、
ユーザ装置（ＵＥ）が基地局からの通知に基づいて、前記基地局から前記ＵＥに送信されたデータが周波数領域で連続するプリコーディングモードを使用することを確定した場合、前記ＵＥは、自体の処理能力範囲内で最適化されたチャネル推定および復調モードを実行することを含む、前記プリコーディング後のチャネルの連続性を保証する方法。
【請求項８】
前記最適化されたチャネル推定は、
複数の連続するＲＢにおけるパイロットを結合した時間領域フィルタリングノイズ低減、
複数の連続するＲＢにおけるパイロットを結合した周波数領域フィルタリングノイズ低減、
複数の連続するＲＢにおけるパイロットを結合した周波数領域の補間、
複数の連続するＲＢにおけるパイロットを結合した時間領域の補間のうちの一つを少なくとも含むことを特徴とする
請求項７に記載のプリコーディング後のチャネルの連続性を保証する方法。
【請求項９】
基地局であって、
前記基地局からユーザ装置（ＵＥ）に送信されたデータが周波数領域で連続するプリコーディングモードを使用するかどうかを前記ＵＥに通知するように構成されるシグナリング指示モジュールと、
対応する周波数領域で連続するまたは不連続であるプリコーディングモードに従って前記ＵＥへデータを送信するように構成されるプリコーディングモジュールとを含む、前記基地局。
【請求項１０】
前記通知は、明示的であって、セル固有のシグナリング通知、またはＵＥ固有のシグナリング通知を含むことを特徴とする
請求項９に記載の基地局。
【請求項１１】
前記セル固有のシグナリングは、システム情報ブロック（ＳＩＢ）メッセージシグナリングであり、前記ＵＥ固有のシグナリングが無線リソース制御（ＲＲＣ）メッセージシグナリングまたは下りリンク制御情報（ＤＣＩ）メッセージシグナリングであることを特徴とする
請求項１０に記載の基地局。
【請求項１２】
前記通知は、暗黙的であって、特定の伝送モードまたは特定のＤＣＩタイプとバンドルすることを含むことを特徴とする
請求項９に記載の基地局。
【請求項１３】
前記プリコーディングモジュールは、さらに、
前記ＵＥにより占有された各ＲＢのプリコーディングウェイトを取得し、
前記ＵＥにより占有された各ＲＢのプリコーディングウェイトに対して最適化処理を行い、物理的に連続するＲＢのプリコーディングウェイトが連続するようにし、
最適化処理後のプリコーディングウェイトに基づいて前記ＵＥに送信されたデータに対してプリコーディングおよびフォーミングを行うように構成されることを特徴とする
請求項９〜１２のいずれか１項に記載の基地局。
【請求項１４】
前記プリコーディングモジュールは、さらに、
物理的に連続する各セクションのＲＢに、ＲＢを単位とする連続するプリコーディングウェイトを使用するモードと、
特定のＲＢ粒度内で連続するプリコーディングウェイトを使用し、前記ＲＢ粒度間にあるプリコーディングウェイトが連続するまたは不連続であり、前記ＲＢ粒度が前記基地局によってＵＥに通知され、または前記基地局と前記ＵＥによって予め約束されるモードのうちの一つを使用してＵＥにより占有された各ＲＢのプリコーディングウェイトに対して最適化処理を行うように構成されることを特徴とする
請求項１３に記載の基地局。
【請求項１５】
ユーザ装置（ＵＥ）であって、
基地局からの通知を受信するように構成されるシグナリング受信モジュールと、
前記基地局から前記ＵＥに送信されたデータが周波数領域で連続するプリコーディングモードを使用することを確定した場合、前記ＵＥ自体の処理能力範囲内で最適化されたチャネル推定および復調モードを実行するように構成されるチャネル推定および復調モジュールとを含む、前記ＵＥ。
【請求項１６】
前記最適化されたチャネル推定は、
複数の連続するＲＢにおけるパイロットを結合した時間領域フィルタリングノイズ低減、
複数の連続するＲＢにおけるパイロットを結合した周波数領域フィルタリングノイズ低減、
複数の連続するＲＢにおけるパイロットを結合した周波数領域の補間、
複数の連続するＲＢにおけるパイロットを結合した時間領域の補間のうちの一つを少なくとも含むことを特徴とする
請求項１５に記載のＵＥ。
【国際調査報告】
2016521026.tif 000007
2016521026.tif 000008
2016521026.tif 000009
2016521026.tif 000010